(57)【要約】【課題】二次電池の劣化を抑制し、二次電池の寿命を長期化すること。【解決手段】自然エネルギーを利用して発電する発電装置３０ａ、３０ｂと、蓄電する蓄電装置３１ａ、３１ｂと、電力が供給される負荷装置３２ａ、３２ｂと、これらを制御する制御装置３４ａ、３４ｂとを備える独立電源型装置２０ａ、２０ｂを複数並列に接続してなる電力供給システム１０であって、同一の独立電源型装置２０ａ内の蓄電装置３１ａの電圧値が劣化電圧範囲内である場合に、蓄電装置３４ａと同一独立電源型装置２０ａ内の発電装置３０ａ、他の独立電源型装置２０ｂ内の発電装置３０ｂ、及び他の独立電源型装置２０ｂ内の蓄電装置３４ｂのうち、いずれか１つの装置を選定し、蓄電装置３１ａの電圧を劣化電圧範囲外にするよう制御する。【選択図】図１
2010183697.tif 000002
【特許請求の範囲】
【請求項１】
自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムであって、
一の前記独立電源型装置の前記制御装置は、他の前記独立電源型装置の前記制御装置と通信可能な構成とされているとともに、
同一の独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行うことを特徴とする電力供給システム。
【請求項２】
前記制御装置は、他の独立電源型装置の前記制御装置から受信するそれぞれの独立電源型装置の運転情報に基づいて、前記蓄電装置に電力を供給する装置を選定することを特徴とする請求項１に記載の電力供給システム。
【請求項３】
自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムであって、
各前記独立電源型装置の前記制御装置と通信可能に接続された中央制御手段を備え、
前記中央制御手段は、
各前記制御装置から受信する各々の独立電源型装置の運転情報に基づいて、各前記独立電源型装置内の前記蓄電装置の電圧値が劣化電圧範囲内であるか否かを判定し、
該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行うことを特徴とする電力供給システム。
【請求項４】
前記中央制御手段は、前記運転情報に基づいて前記蓄電装置と同一独立電源型装置内の発電装置、他の独立電源型装置内の発電装置、及び他の独立電源型装置内の蓄電装置のうち、少なくともいずれか１つの余剰な電力のある装置から、前記蓄電装置に電力を供給することを特徴とする請求項３に記載の電力供給システム。
【請求項５】
前記中央制御手段は、
放電の必要性がある蓄電装置をもつ独立電源型装置からの電力を受け取り、充電の必要性がある蓄電装置をもつ独立電源型装置に電力を供給する中央蓄電手段を備え、
該電圧値が劣化電圧範囲内であると判定した場合に、前記蓄電装置と同一独立電源型装置内の発電装置、他の独立電源型装置内の発電装置、他の独立電源型装置内の蓄電装置、及び前記中央蓄電手段のうち、少なくともいずれか１つの装置を選定し、前記蓄電装置の電圧を劣化電圧範囲外にするよう制御を行うことを特徴とする請求項３に記載の電力供給システム。
【請求項６】
自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムの電力供給方法であって、
同一の独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う電力供給方法。
【請求項７】
自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムの電力供給方法であって、
各前記制御装置から受信する各々の独立電源型装置の運転情報に基づいて、各前記独立電源型装置内の前記蓄電装置の電圧値が劣化電圧範囲内であるか否かを判定し、
該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う電力供給方法。
【発明の詳細な説明】
【技術分野】
【０００１】
本発明は、電力供給システム及びその電力供給方法に関するものである。
【背景技術】
【０００２】
リチウム二次電池は、過充電又は過放電である場合において、性能が急速に劣化することが知られており、性能劣化を回避するために、二次電池が過充電状態又は過放電状態にならない既定の電圧範囲内で使用されるよう充放電を制御することが提案されている。
また、例えば、特開２０００−０５８１３４号公報には、高温雰囲気下において性能の劣化が顕著であるマンガン系正極材料を用いるリチウム二次電池を高圧側で運用することにより、劣化を抑制する技術が開示されている。
【先行技術文献】
【特許文献】
【０００３】
【特許文献１】特開２０００−０５８１３４号公報
【発明の概要】
【発明が解決しようとする課題】
【０００４】
しかしながら、上記特許文献１の発明では、大型リチウム二次電池システムの寿命を、例えば、「１０年以上」のように長期化させる場合には、高温時雰囲気時だけでなく、常温時も含めた性能劣化傾向を電池運用条件に考慮しなければならないという問題があった。
【０００５】
本発明は、上記問題を解決するためになされたもので、二次電池の性能劣化傾向に基づいて二次電池の劣化を抑制し、二次電池の寿命を長期化することのできる電力供給システム、電力供給方法及び電力供給プログラムを提供することを目的とする。
【課題を解決するための手段】
【０００６】
上記課題を解決するために、本発明は以下の手段を採用する。
【０００７】
本発明は、自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムであって、一の前記独立電源型装置の前記制御装置は、他の前記独立電源型装置の前記制御装置と通信可能な構成とされているとともに、同一の独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行うことを特徴とする電力供給システムを提供する。
【０００８】
このような構成によれば、自然エネルギーによって発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続する。各独立電源型装置が備える制御装置の各々は、同一の独立電源型装置内に設けられた蓄電装置の電圧値が電池性能の劣化率の高い劣化電池範囲内であると判断した場合には同一の独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う。
これにより、例えば、蓄電装置の充電が必要な場合には、電力の不足分を他の装置からも供給することが可能となり、電力を確保しやすくすることができる。
また、蓄電装置の電圧を劣化電圧範囲外の値にする制御を行うことで、蓄電装置の性能の劣化率の低い電圧範囲内にするような制御が可能となる。
【０００９】
上記電力供給システムにおいて、前記制御装置は、他の独立電源型装置の前記制御装置から受信するそれぞれの独立電源型装置の運転情報に基づいて、前記蓄電装置に電力を供給する装置を選定することとしてもよい。
【００１０】
このように、各独立電源型装置の制御装置と他の独立電源型装置の制御装置とが、相互にそれぞれの独立電源型装置の運転情報を交換し、蓄電装置に電力を供給する装置を決定するので、電力の供給元装置として、電力に余剰のある装置を選定することが可能となる。また、独立電源型装置の運転情報とは、例えば、蓄電装置の充電状況の情報である充電情報、発電装置の稼働状況の情報である発電情報、及び負荷装置の稼働状況の情報である負荷情報である。
【００１１】
本発明は、自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムであって、各前記独立電源型装置の前記制御装置と通信可能に接続された中央制御手段を備え、前記中央制御手段は、各前記制御装置から受信する各々の独立電源型装置の運転情報に基づいて、各前記独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行うことを特徴とする電力供給システムを提供する。
【００１２】
このような構成によれば、自然エネルギーによって発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続し、さらに各制御装置を中央制御手段と接続する。中央制御手段は、各独立電源型装置の各々の制御装置から受信する運転情報に基づいて、各蓄電装置の電圧値を監視し、蓄電装置の電圧値が電池性能の劣化率の高い劣化電池範囲内であると判断した場合には、劣化電池範囲内にある蓄電装置と同一の独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う。
【００１３】
このように、各制御装置の持つ運転情報を中央制御手段に集約するので、複数の独立型電源装置の運転状態を速やかに把握できるとともに、電力を供給する装置を速やかに選定することが可能となる。
また、蓄電装置の電圧を劣化電圧範囲外の値にする制御を行うことで、蓄電装置の性能の劣化率の低い電圧範囲内にするような制御が可能となる。
また、独立電源型装置の運転情報とは、例えば、蓄電装置の充電状況の情報である充電情報、発電装置の稼働状況の情報である発電情報、及び負荷装置の稼働状況の情報である負荷情報である。
【００１４】
上記電力供給システムにおいて、前記中央制御手段は、前記運転情報に基づいて前記蓄電装置と同一独立電源型装置内の発電装置、他の独立電源型装置内の発電装置、及び他の独立電源型装置内の蓄電装置のうち、少なくともいずれか１つの余剰な電力のある装置から、前記蓄電装置に電力を供給することとしてもよい。
【００１５】
このように、中央制御手段は、制御装置から受信した各独立電源型装置の運転情報に基づいて余剰な電力のある装置を選定し、劣化電圧範囲内である蓄電装置に電力を供給するので、余剰な電力を有効に利用することができる。
【００１６】
上記電力供給システムにおいて、前記中央制御手段は、放電の必要性がある蓄電装置をもつ独立電源型装置からの電力を受け取り、充電の必要性がある蓄電装置をもつ独立電源型装置に電力を供給する中央蓄電手段を備え、該電圧値が劣化電圧範囲内であると判定した場合に、前記蓄電装置と同一独立電源型装置内の発電装置、他の独立電源型装置内の発電装置、他の独立電源型装置内の蓄電装置、及び前記中央蓄電手段のうち、少なくともいずれか１つの装置を選定し、前記蓄電装置の電圧を劣化電圧範囲外にするよう制御を行うこととしてもよい。
【００１７】
このような構成によれば、中央制御手段は、放電の必要性がある蓄電装置をもつ独立電源型装置からの電力を受け取り、充電の必要性がある蓄電装置をもつ独立電源型装置に電力を供給する中央蓄電手段を備えているので、例えば、充電が必要な蓄電装置があった場合に、電力の不足分を中央蓄電装置から供給することが可能となる。これにより、電力を確保しやすくすることができる。
【００１８】
本発明は、自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムの電力供給方法であって、同一の独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う電力供給方法を提供する。
【００１９】
本発明は、自然エネルギーを利用して発電する発電装置と、電力を蓄電する蓄電装置と、電力が供給される負荷装置と、前記発電装置、前記蓄電装置、及び前記負荷装置をそれぞれ制御する制御装置とを備える独立電源型装置を複数並列に接続してなる電力供給システムの電力供給方法であって、各前記制御装置から受信する各々の独立電源型装置の運転情報に基づいて、各前記独立電源型装置内の前記蓄電装置の電圧値が劣化電圧範囲内であるか否かを判定し、該電圧値が劣化電圧範囲内であると判定した場合に、前記蓄電装置と同一独立電源型装置内の発電装置、他の独立電源型装置内の発電装置、及び他の独立電源型装置内の蓄電装置のうち、少なくともいずれか１つの装置を選定し、前記蓄電装置の電圧を劣化電圧範囲外にするよう制御を行う電力供給方法を提供する。
【発明の効果】
【００２０】
本発明によれば、二次電池の寿命を長期化することができるという効果を奏する。
【図面の簡単な説明】
【００２１】
【図１】本発明の第１の実施形態に係る電力供給システムの概略を示したブロック図である。
【図２】開回路電圧と容量低下率との関係を示した図である。
【図３】本発明の第１の実施形態に係る電力供給システムの概略を示したブロック図である。
【図４】本発明の第１の実施形態に係る電力供給システムの概略を示したブロック図である。
【図５】本発明の第１の実施形態に係る電力供給システムの概略を示したブロック図である。
【図６】本発明の第１の実施形態に係る電力供給システムの概略を示したブロック図である。
【図７】本発明の第１の実施形態に係る電力供給システムの概略を示したブロック図である。
【図８】本発明の第２の実施形態に係る電力供給システムの概略を示したブロック図である。
【図９】本発明の第２の実施形態の変形例に係る電力供給システムの概略を示したブロック図である。
【発明を実施するための形態】
【００２２】
以下に、本発明に係る電力供給システムの実施形態について、〔第１の実施形態〕、〔第２の実施形態〕の順に図面を参照して説明する。
【００２３】
〔第１の実施形態〕
図１は、本実施形態に係る電力供給システム１０の概略構成を示したブロック図である。図１に示すように、本実施形態に係る電力供給システム１０は、複数の独立電源型装置２０ａ、２０ｂを主な構成として備えており、独立電源装置２０ａ、２０ｂは、並列に接続された構成とされている。なお、独立電源型装置２０ａ、２０ｂは同じ動作を行うため、ここでは、独立電源型装置２０ａによる動作を例に挙げて説明する。
【００２４】
独立電源型装置２０ａは、自然エネルギーによって発電される発電装置３０ａ、発電装置３０ａ等により得られた電力を蓄電する蓄電装置３１ａ、負荷装置３２ａ、電圧の余剰を外部に排出する余剰出力排出装置３３ａ、及び蓄電装置の充電状態を制御する制御装置３４ａを主な構成として備えている。また、同様に、独立電源型装置２０ｂは、発電装置３０ｂ、蓄電装置３１ｂ、負荷装置３２ｂ、余剰出力排出装置３３ｂ、及び制御装置３４ｂを主な構成として備えている。
【００２５】
蓄電装置３１ａ、３１ｂは、例えば、電池電圧（充電率）に応じて劣化傾向が異なる特徴を有するリチウムイオン二次電池、電池電圧及び電池温度等の電池状態を計測する計測部、充放電の指示を受けた場合に充放電の制御を行う充放電制御監視部（図示略）を主な構成としている。
【００２６】
発電装置３０ａ、３０ｂは、風力、太陽光等の自然エネルギーを利用して発電し、発電された電力を計測し、監視する。
例えば、発電装置３０ａにより得られた電力は、自己の独立電源型装置２０ａの蓄電装置３１ａに蓄電、負荷装置３２ａに供給、及び他の独立電源型装置２０ｂの蓄電装置３１ｂに蓄電される。
【００２７】
負荷装置３２ａ、３２ｂは、電力を消費する装置である。例えば、照明機器、照明設備である。
【００２８】
制御装置３４ａ、３４ｂは、自己の独立電源型装置の発電装置、蓄電装置、及び負荷装置における稼働状況の情報を運転情報として監視する。また、制御装置３４ａは、他の独立電源型装置２０ｂの制御装置３４ｂと通信可能な構成とされている。また、制御装置３４ａは、独立電源型装置間の電力送受信の制御を行う。
例えば、自己の蓄電装置３１ａに充電が必要となった場合、制御装置３４ａは自己の運転情報と他の独立電源型装置２０ｂの制御装置３４ｂから受信した運転情報とに基づいて、蓄電装置３１ａに電力を供給する装置を選定する。また、制御装置３４ａは蓄電装置３１ａに、選定された装置の電力を供給するよう独立電源型装置間の電力送受信の制御を行う。
【００２９】
次に、より具体的な制御装置３４ａの制御について説明する。
図２において、横軸に開回路電圧、縦軸に容量低下率を示している。また、図２は常温時の開回路電圧と容量低下率との傾向を示した図である。
図２に示されるように、蓄電装置の開回路電圧がＡ及びＣの範囲は、蓄電装置の性能が劣化する劣化電圧範囲である。
制御装置３４ａは、自己の蓄電装置３１ａの電圧値が上述の劣化電圧範囲内であるＡまたはＣであるか否かを判定する。判定の結果、劣化電圧範囲内ＡまたはＣである場合には、劣化電圧範囲外ＢまたはＤとなるように制御を行う。判定の結果、自己の蓄電装置３１ａの電圧値が劣化電圧範囲外である場合には、何もしない。
【００３０】
また、制御装置３４ａは、劣化電圧範囲内の蓄電装置３１ａを劣化電圧範囲外にする場合に、同一独立電源型装置内２０ａの発電装置３０ａ、他の独立電源型装置内２０ｂの発電装置３０ｂ、及び他の独立電源型装置内３０ｂの蓄電装置３１ｂのうち、少なくともいずれか１つの装置を選定し、選定された装置の電力を蓄電装置３１ａに供給する。
【００３１】
ここで、制御装置３４ａが蓄電装置３１ａに電力を供給する装置を選定する方法を説明する。
第１に、制御装置３４ａは、同一の独立電源型装置２０ａの発電装置３０ａが蓄電装置３１ａに電力供給が可能か否かを判定する。具体的には、図３に示されるように、負荷装置３２ａが停止しているか、または負荷装置３２ａが稼働している場合、発電装置３０ａに余剰電力があるか否かを判定する。余剰電力がある場合には、制御装置３４ａは、発電装置３０ａを電力供給が可能であると判定し、発電装置３０ａを選定する。
【００３２】
第２に、制御装置３４ａは、発電装置３０ａが電力供給不可能である場合に、他の独立電源型装置２０ｂの制御装置３４ｂに対し電力供給の要請を通知する。電力供給の要請の通知を受信した制御装置３４ｂは、独立電源型装置２０ｂの発電装置３０ｂから電力供給が可能か否かを判定する。図４に示されるように、独立電源型装置２０ｂの負荷装置３２ｂが停止、かつ、蓄電装置３１ｂが劣化電圧範囲外である場合に、電力供給が可能であると判定し、制御装置３４ｂは発電装置３０ｂを選定する。さらに、制御装置３４ｂは、制御装置３４ａに対し、電力供給が可能である旨を通知するとともに、発電装置３０ｂの電力を蓄電装置３１ａに供給する。
【００３３】
また、図５に示されるように、独立電源型装置２０ｂの負荷装置３２ｂが稼働していても、蓄電装置３１ｂが劣化電圧範囲外で、かつ、発電装置３０ｂに余剰電力がある場合には発電装置３０ｂを選定することとしてもよい。この場合には、制御装置３４ｂは、制御装置３４ａに対し電力供給が可能である旨を通知するとともに、選定した発電装置３０ｂの電力を蓄電装置３１ａに供給する。
【００３４】
第３に、発電装置３０ｂが電力供給不可能である場合には、制御装置３４ｂは、蓄電装置３１ｂから電力供給が可能か否かを判定する。図６に示されるように、制御装置３４ｂは、独立電源型装置２０ｂの負荷装置３２ｂが停止、かつ、蓄電装置３１ｂが放電可能である場合に、蓄電装置３１ｂから電力供給が可能と判定し、蓄電装置３１ｂを選定する。この場合、制御装置３４ｂは、制御装置３４ａに対し電力供給が可能である旨を通知するとともに、蓄電装置３１ｂの電力を蓄電装置３１ａに供給する。
【００３５】
また、図７に示されるように、独立電源型装置２０ｂの負荷装置３２ｂが稼働していても、蓄電装置３１ｂが放電可能である場合には、蓄電装置３１ｂから電力供給が可能であると判定し、制御装置３４ｂが蓄電装置３１ｂを選定することとしてもよい。この場合には、制御装置３４ｂは、制御装置３４ａに対し電力供給が可能である旨を通知するとともに、選定した蓄電装置３１ｂの電力を蓄電装置３１ａに供給する。
【００３６】
なお、制御装置３４ｂは、発電装置３０ｂ及び蓄電装置３１ｂからの電力供給が不可能である場合には、制御装置３４ａに対し電力供給ができない旨を通知する。
【００３７】
このように、制御装置３４ａ、３４ｂは、劣化電圧範囲内の電圧値である蓄電装置３１ａに電力を供給する装置を選定し、選定された装置の電力を用いて蓄電装置３１ａを劣化電圧範囲外の電圧値にする制御を行う。
【００３８】
なお、本実施形態に係る電力供給システムにおいて、劣化電圧範囲内の蓄電装置に電力供給する装置を他の独立電源型装置から選定を行う場合に、他の独立電源型装置において、発電装置が電力供給可能か否かを判定し、不可であった場合に、続いて蓄電装置が電力供給可能か否かを判定していたが、この判定順序に限られない。例えば、蓄電装置が電力供給可能か否かを判定し、蓄電装置による電力供給が不可であった場合に、続いて発電装置が電力供給可能か否かを判定することとしてもよい。
【００３９】
次に、本実施形態に係る電力供給システム１０の動作について説明する。
電力供給システム１０の独立電源型装置２０ａの負荷装置３２ａが停止時に、制御装置３４ａにおいて蓄電装置３１ａの電圧値が劣化電圧範囲内であるか否かが判定される。判定の結果、劣化電圧範囲内である場合には、蓄電装置３１ａの電圧値が劣化電圧範囲外となるように制御される。判定の結果、劣化電圧範囲外である場合には、何もしない。
【００４０】
前段において、蓄電装置３１ａが劣化電圧範囲内であると判定された場合、制御装置３４ａにおいて、自己の独立電源型装置２０ａの発電装置３０ａから電力供給が可能か否かが判定される。判定の結果、電力供給が可能であると判定された場合には、発電装置３０ａの電力が蓄電装置３１ａに供給される。また、判定の結果、電力供給が不可能であると判定された場合には、制御装置３４ａから他の独立電源型装置２０ｂの制御装置３４ｂに対し、電力供給の要請が通知される。
【００４１】
続いて、電力供給要請の通知を受信した制御装置３４ｂにおいて、発電装置３０ｂから電力供給が可能か否かが判定される。判定の結果、可能である場合には、制御装置３４ｂから制御装置３４ａに電力供給可能の旨が通知され、発電装置３０ｂの電力を蓄電装置３１ａに供給させる。また、判定の結果、電力供給が不可能であると判定された場合には、制御装置３４ｂにおいて蓄電装置３１ｂの電力を供給可能か否かが判定される。判定の結果、可能である場合には、制御装置３４ｂから制御装置３４ａに電力供給可能の旨が通知され、蓄電装置３１ｂの電力を蓄電装置３１ａに供給させる。また、不可能である場合には、制御装置３４ｂから制御装置３４ａに対し、電力供給できない旨が通知される。
【００４２】
以上説明してきたように、本実施形態に係る電力供給システムによれば、発電装置、蓄電装置、負荷装置、制御装置を備える独立電源型装置を複数並列に接続し、それぞれの制御装置は、独立電源型装置の蓄電装置の電圧範囲が、性能の劣化率が高い劣化電圧範囲ＡまたはＣとなっているか否かを判定する。蓄電装置の電圧が性能の劣化率が高い範囲内ＡまたはＣである場合には、劣化電圧範囲外であるＢまたはＤとなるよう充電量を制御する。また、蓄電装置に充電が必要な場合には、自己の独立電源装置内の発電装置、他の独立電源装置内の発電装置、及び他の独立電源型装置内の蓄電装置の３つの装置のうちいずれか１つの装置から充電を行う。これにより、蓄電装置３１ａの充電が必要な場合に、電力の不足分を他の独立電源型装置からも供給することができ、電力を確保しやすくすることができる。
【００４３】
なお、装置単体では余剰であった発電電力がある場合に、他の独立電源型装置に供給することにより、余剰電力を廃棄せず、有効利用することができる。また、並列に複数接続された独立電源型装置全体を１つの大きな発電部及び蓄電部とみなすことができるので、複数の装置の負荷（例えば、照明の点灯期間、照度等。）の動作を均一化させることができる。
【００４４】
また、蓄電装置の電圧値を劣化電圧範囲外にする制御を行うことで、蓄電装置の劣化を抑制することが可能となる。
【００４５】
なお、本実施形態に係る電力供給システムにおいて、独立電源型装置を２つ接続した構成を一例として説明したが、これに限られず、独立電源型装置の接続数は特に限定されない。
【００４６】
〔第２の実施形態〕
次に、本発明の第２の実施形態について、図８を用いて説明する。
本実施形態の電力供給システムが第１の実施形態と異なる点は、各独立電源型装置の運転情報を集約し、独立電源型装置間の電力送受信の制御を行う中央制御部（中央制御手段）を設ける点である。以下、本実施形態の電力供給システムについて、第１の実施形態と共通する点については説明を省略し、異なる点について主に説明する。また、独立電源型装置２０ａ、２０ｂは同じ動作を行うため、ここでは、独立電源型装置２０ａによる動作を例に挙げて説明する。
【００４７】
図８に示されるように、本実施形態に係る電力供給システム１０´は、複数の独立電源型装置２０ａ、２０ｂ、中央制御部５０を主な構成として備えている。
中央制御部５０は、各独立電源型装置２０ａ、２０ｂの制御装置３４ａ、３４ｂとそれぞれ通信可能に接続されている。中央制御部５０は、各制御装置３４ａ、３４ｂから受信する各々の独立電源型装置２０ａ、２０ｂの運転情報に基づいて、各独立電源型装置２０ａ、２０ｂ内の蓄電装置３１ａ、３１ｂの電圧値が劣化電圧範囲内であるか否かを判定する。
【００４８】
判定の結果、中央制御部５０は、蓄電装置３１ａ、３１ｂの電圧値が劣化電圧範囲内である場合には、各独立電源型装置からの運転情報に基づいて、劣化電圧範囲外となるように制御を行う。具体的には、蓄電装置３１ａが劣化電圧範囲内である場合に、中央制御部５０は、蓄電装置３１ａと同一独立電源型装置内の発電装置３０ａ、他の独立電源型装置内の発電装置３０ｂ、及び他の独立電源型装置内の蓄電装置３１ｂのうち、少なくともいずれか１つの装置を選定し、選定した装置の電力を蓄電装置３１ａに供給する制御を行う。なお、上記「少なくともいずれか１つの装置」は、電力に余剰のある装置を選定するとよい。
【００４９】
このように中央制御部５０は、各制御装置３４ａ、３４ｂの持つ運転情報を集約する。これにより、電力供給システム１０´における複数の独立型電源装置２０ａ、２０ｂの運転状態を速やかに把握できるとともに、電力の供給が必要な装置、電力の供給元となる装置を速やかに選定することが可能となる。
【００５０】
〔変形例〕
なお、本実施形態に係る電力供給システムにおいて、中央制御部５０は、電力供給元となる装置を選定する場合、同一独立電源型装置内の発電装置３０ａ、他の独立電源型装置内の発電装置３０ｂ、及び他の独立電源型装置内の蓄電装置３１ｂのうち、少なくともいずれか１つの装置から選定することとしていたが、これに限られない。
【００５１】
例えば、図９に示されるように、中央制御部５０は、各独立電源型装置間で余剰になった電力を充電、及び各独立電源型装置間で余剰電力がない場合に放電する中央蓄電部（中央蓄電手段）６０を備え、この中央蓄電部６０を電力供給元の装置として選定することとしてもよい。
このように、中央制御部５０は中央蓄電部６０を備えるので、電力の不足が発生している独立電源型装置に供給する電力を確保しやすくすることができる。また、中央蓄電部６０は、独立電源型装置間における余剰となった電力を充電することができるので、電力を廃棄する無駄を軽減することができる。
【符号の説明】
【００５２】
１０、１０´  電力供給システム
２０ａ、２０ｂ  独立電源型装置
３０ａ、３０ｂ  発電装置
３１ａ、３１ｂ  蓄電装置
３２ａ、３２ｂ  負荷装置
３３ａ、３３ｂ  余剰出力排出装置
３４ａ、３４ｂ  制御装置
５０  中央制御部
６０  中央蓄電部
【図１】
2010183697.tif 000003
【図２】
2010183697.tif 000004
【図３】
2010183697.tif 000005
【図４】
2010183697.tif 000006
【図５】
2010183697.tif 000007
【図６】
2010183697.tif 000008
【図７】
2010183697.tif 000009
【図８】
2010183697.tif 000010
【図９】
2010183697.tif 000011